【手続補正書】
【提出日】平成19年2月2日(2007.2.2)
【手続補正１】
【補正対象書類名】明細書
【補正対象項目名】特許請求の範囲
【補正方法】変更
【補正の内容】
【特許請求の範囲】
【請求項１】
ユーザー側とショップ側との間で、商品又はサービスの取引関連データをやり取りするための取引システムであって、
ユーザー側のコンピュータにより、
少なくとも広域の生活圏内を自由に移動する移動体であるユーザーが「インターネットなどのネットワークを介して、プログラムやコンテンツなどの商品又はサービスを提供してくれるショップ側のコンピュータ」との間で取引を行うときの、（ア）購入や購入予約などの注文データ、及び（イ）取引代金の取引関連データ決済やクレジット決済や銀行口座からの引き落とし決済などの代金決済関連データ（以下、上記の（ア）及び（イ）を纏めて「取引関連データ」という）の中の少なくとも一つを、前記取引内容と対応付けて、前記ショップ側コンピュータに送信するための取引関連データ送信手段と、
（ａ）前記ユーザーが現在居る現在地の位置座標を示す現在位置座標データ、（ｂ）前記ユーザーが現在居る地域又は施設を示す地域・施設名データ、及び、（ｃ）前記ユーザーが現在居る場所の属性を示す場所属性データ（以下、上記の（ａ）、（ｂ）、及び（ｃ）を纏めて「場所関連データ」という）の中の少なくとも一つ、を取得するための場所関連データ取得手段と、
前記ショップ側コンピュータ及び／又はこれと接続されている第三者的機関であるセンター側などに在る別のコンピュータが、前記ユーザーの現在の場所関連データの中の少なくとも一つ及び／又はこれに基づいて得られる他の場所関連データの少なくとも一つを、マーケティングデータとして、前記取引内容データと対応付けてマーケティング用データベースに記録できるように、前記場所関連データの中の少なくとも一つを、前記取引関連データ送信手段により送信される取引関連データの中の少なくとも一つと一緒に又は前記取引関連データの中の少なくとも一つの送信と対応付けて、前記ショップ側コンピュータ及び／又はこれと接続されている第三者的機関であるセンター側などに在る別のコンピュータに送信するための場所関連データ送信手段と、が構成されており、
ショップ側のコンピュータ及び／又はこれと接続されている第三者的機関であるセンター側などに在る別のコンピュータにより、
前記ユーザー側からの取引関連データの中の少なくとも一つを、前記取引内容と対応付けて受信するための取引関連データ受信手段と、
前記ユーザー側からの前記場所関連データの中の少なくとも一つを、取引関連データ受信手段により受信される取引関連データの中の少なくとも一つと一緒に又は前記取引関連データの中の少なくとも一つの受信と対応付けて、受信するための場所関連データ受信手段と、
前記の受信した場所関連データの中の少なくとも一つ及び／又はこれに基づいて得られる他の場所関連データの中の少なくとも一つを、前記商品又はサービスのためのマーケティングデータとして、前記取引内容データと対応付けて、マーケティング用データベースに記録するための場所関連データ記録手段と、
が構成されている、ことを特徴とする取引関連データ受信装置。
【請求項２】
ユーザー側のコンピュータにより構成される取引関連データ送信装置であって、
少なくとも広域の生活圏内を自由に移動する移動体であるユーザーが「インターネットなどのネットワークを介して、プログラムやコンテンツなどの商品又はサービスを提供してくれるショップ側のコンピュータ」との間で取引を行うときの、（ア）購入や購入予約などの注文データ、及び（イ）取引代金の取引関連データ決済やクレジット決済や銀行口座からの引き落とし決済などの代金決済関連データ（以下、上記（ア）及び（イ）を纏めて「取引関連データ」という）の中の少なくとも一つを、前記取引内容と対応付けて、前記ショップ側コンピュータに送信するための取引関連データ送信手段と、
（ａ）前記ユーザーが現在居る現在地の位置座標を示す現在位置座標データ、（ｂ）前記ユーザーが現在居る地域又は施設を示す地域・施設名データ、及び、（ｃ）前記ユーザーが現在居る場所の属性を示す場所属性データ（以下、上記の（ａ）、（ｂ）、及び（ｃ）を纏めて「場所関連データ」という）の中の少なくとも一つ、を取得するための場所関連データ取得手段と、
前記ショップ側コンピュータ及び／又はこれと接続されている第三者的機関であるセンター側などに在る別のコンピュータが、前記ユーザーの現在の場所関連データの少なくとも一つ及び／又はこれに基づいて得られる他の場所関連データの中の少なくとも一つを、マーケティングデータとして、前記取引内容データと対応付けて、マーケティング用データベースに記録できるように、前記ユーザーの現在の場所関連データの中の少なくとも一つを、前記取引関連データ送信手段により送信される取引関連データの中の少なくとも一つと一緒に又は前記取引関連データの中の少なくとも一つの送信と対応付けて、前記ショップ側コンピュータ及び／又はこれと接続されている第三者的機関であるセンター側などに在る別のコンピュータに送信するための場所関連データ送信手段と、
を備えている、ことを特徴とする取引関連データ送信装置。
【請求項３】
前記ショップ側コンピュータ及び／又はこれと接続されている第三者的機関であるセンター側などに在る別のコンピュータにより構成される取引関連データ受信装置であって、
少なくとも広域の生活圏内を自由に移動する移動体であるユーザー側から送信された、「インターネットなどのネットワークを介して、プログラムやコンテンツなどの商品又はサービスを提供してくれるショップ側のコンピュータ」との間で取引を行うときの、（ア）購入や購入予約などの注文データ、及び（イ）取引代金の取引関連データ決済やクレジット決済や銀行口座からの引き落とし決済などの代金決済関連データ（以下、上記の（ア）及び（イ）を纏めて「取引関連データ」という）の中の少なくとも一つを、前記取引内容と対応付けて、前記ショップ側コンピュータに送信するための取引関連データ送信手段と、
（ａ）前記ユーザーが現在居る現在地の位置座標を示す現在位置座標データ、（ｂ）前記ユーザーが現在居る地域又は施設を示す地域・施設名データ、及び、（ｃ）前記ユーザーが現在居る場所の属性を示す場所属性データ（以下上記の（ａ）、（ｂ）、及び（ｃ）を纏めて「場所関連データ」という）の中の少なくとも一つを、前記ユーザー側からの取引関連データの中の少なくとも一つと一緒に又は前記取引関連データの中の少なくとも一つの受信と対応付けて、受信するための場所関連データ受信手段と、
前記の受信した場所関連データの中の少なくとも一つ及び／又はこれに基づいて得られる他の場所関連データの中の少なくとも一つを、マーケティングデータとして、前記取引内容データと対応付けて、マーケティング用データベースに記録するための場所関連データ記録手段と、
を備えている、ことを特徴とする取引関連データ受信装置。
【請求項４】
ユーザー側とショップ側との間で、商品又はサービスの代金決済のための取引関連データをやり取りするための取引関連データシステムであって、
ユーザー側のコンピュータにより、
少なくとも広域の生活圏内を自由に移動する移動体であるユーザーが「インターネットなどのネットワークを介して、プログラムやコンテンツなどの商品又はサービスを提供してくれるショップ側のコンピュータ」との間で取引を行うときの、（ア）購入や購入予約などの注文データ、及び（イ）取引代金の取引関連データ決済やクレジット決済や銀行口座からの引き落とし決済などの代金決済関連データ（以下、上記の（ア）及び（イ）を纏めて「取引関連データ」という）の中の少なくとも一つを、前記取引内容と対応付けて、前記ショップ側コンピュータに送信するための取引関連データ送信手段と、
（ａ）前記ユーザーが現在行っている行動の内容を示す行動内容データ又はこれを得るための基礎データ、（ｂ）前記ユーザーが現在居る場所の天候を示す現在天候データ又はこれを得るための基礎データ、及び、（ｃ）前記ユーザーが現在居る場所の生活時間帯を示す生活時間帯データ又はこれを得るための基礎データ（以下、上記の（ａ）、（ｂ）、及び（ｃ）を纏めて「ユーザー状況データ」という）の中の少なくとも一つ、を取得するためのユーザー状況データ取得手段と、
前記ショップ側コンピュータが、前記ユーザー状況データの中の少なくとも一つを、マーケティングデータとして、前記取引内容データと対応付けてマーケティング用データベースに記録できるように、前記ユーザー状況データ取得手段により取得されたユーザー状況データの中の少なくとも一つを、前記取引関連データ送信手段により送信される取引関連データの中の少なくとも一つと一緒に又は前記取引関連データの中の少なくとも一つの送信と対応付けて、前記ショップ側コンピュータに送信するためのユーザー状況データ送信手段と、が構成されており、
ショップ側のコンピュータにより、
前記ユーザー側からの取引関連データの中の少なくとも一つを、前記取引内容と対応付けて受信するための取引関連データ受信手段と、
前記ユーザー状況データの中の少なくとも一つを、前記ユーザー側からの取引関連データの中の少なくとも一つと一緒に又は前記取引関連データの中の少なくとも一つの受信と対応付けて、受信するためのユーザー状況データ受信手段と、
前記ユーザー状況データの中の少なくとも一つ及び／又はこれに基づいて得られる他のユーザー状況データの中の少なくとも一つを、前記商品又はサービスのためのマーケティングデータとして、前記取引内容データと対応付けて、マーケティング用データベースに記録するためのユーザー状況データ記録手段と、
が構成されている、ことを特徴とする取引関連データ受信装置。
【請求項５】
ユーザー側のコンピュータにより構成される取引関連データ送信装置であって、
少なくとも広域の生活圏内を自由に移動する移動体であるユーザーが「インターネットなどのネットワークを介して、プログラムやコンテンツなどの商品又はサービスを提供してくれるショップ側のコンピュータ」との間で取引を行うときの、（ア）購入や購入予約などの注文データ、及び（イ）取引代金の取引関連データ決済やクレジット決済や銀行口座からの引き落とし決済などの代金決済関連データ（以下、上記の（ア）及び（イ）を纏めて「取引関連データ」という）の中の少なくとも一つを、前記取引内容と対応付けて、前記ショップ側コンピュータに送信するための取引関連データ送信手段と、
（ａ）前記ユーザーが現在行っている行動の内容を示す行動内容データ又はこれを得るための基礎データ、（ｂ）前記ユーザーが現在居る場所の天候を示す現在天候データ又はこれを得るための基礎データ、及び、（ｃ）前記ユーザーが現在居る場所の生活時間帯を示す生活時間帯データ（以下、上記の（ａ）、（ｂ）、及び（ｃ）を纏めて「ユーザー状況データ」という）の中の少なくとも一つ、を取得するためのユーザー状況データ取得手段と、
前記取引関連データ記録手段に記録されている取引関連データの中の少なくとも一つを、前記取引内容と対応付けて、前記ショップ側コンピュータに送信するための取引関連データ送信手段と、
前記ショップ側コンピュータが、前記ユーザー状況データの中の少なくとも一つ及び／又はこれに基づいて得られる他のユーザー状況データの中の少なくとも一つを、マーケティングデータとして、前記取引内容データと対応付けて、マーケティング用データベースに記録できるように、前記ユーザー状況データの中の少なくとも一つを、前記取引関連データ送信手段により送信される取引関連データの中の少なくとも一つと一緒に又は前記取引関連データの中の少なくとも一つの受信と対応付けて、前記ショップ側コンピュータに送信するためのユーザー状況データ送信手段と、
を備えている、ことを特徴とする取引関連データ送信装置。
【請求項６】
ショップ側のコンピュータにより構成される取引関連データ受信装置であって、
少なくとも広域の生活圏内を自由に移動する移動体であるユーザーが「インターネットなどのネットワークを介して、プログラムやコンテンツなどの商品又はサービスを提供してくれるショップ側のコンピュータ」との間で取引を行うときの、（ア）購入や購入予約などの注文データ、及び（イ）取引代金の取引関連データ決済やクレジット決済や銀行口座からの引き落とし決済などの代金決済関連データ（以下、上記の（ア）及び（イ）を纏めて「取引関連データ」という）の中の少なくとも一つを、前記取引内容と対応付けて、前記ショップ側コンピュータに送信するための取引関連データ送信手段と、
（ａ）前記ユーザーが現在行っている行動の内容を示す行動内容データ又はこれを得るための基礎データ、（ｂ）前記ユーザーが現在居る場所の天候を示す現在天候データ又はこれを得るための基礎データ、及び、（ｃ）前記ユーザーが現在居る場所の生活時間帯を示す生活時間帯データ又はこれを得るための基礎データ（以下、上記の（ａ）、（ｂ）、及び（ｃ）を纏めて「ユーザー状況データ」という）の中の少なくとも一つを、前記ユーザー側からの取引関連データの中の少なくとも一つと一緒に又は前記取引関連データの中の少なくとも一つの受信と対応付けて、受信するためのユーザー状況データ受信手段と、
前記ユーザー状況データの中の少なくとも一つ及び／又はこれに基づいて得られる他のユーザー状況データの中の少なくとも一つを、マーケティングデータとして、前記取引内容データと対応付けて、マーケティング用データベースに記録するためのユーザー状況データ記録手段と、
を備えている、ことを特徴とする取引関連データ受信装置。
【請求項７】
ユーザーがネットワークを介して「遠隔地のショップ」との間で取引を行うときの、その取引の価格に対応する電子マネーなどの、その取引に関する取引関連データを、取得するための取引関連データ取得手段と、
ユーザーがネットワークを介してショップとの間で取引を行うときのユーザーが居る場所（現在位置）に関する、位置座標データなどの場所関連データを、取得するための場所関連データ取得手段と、
前記場所関連データ取得手段からの場所関連データを、前記取引関連データ取得手段からの取引関連データと対応付けて、「遠隔地のショップ、又は、このショップ又はそのユーザーのために運営されるセンター的な機関などの、ショップ側」に送信する場所関連データ送信手段と、
を備えたことを特徴とする、場所又は行為状況を要素とする取引システム。
【請求項８】
ユーザーがネットワークを介して「遠隔地のショップ」との間で取引を行うときの、その取引の価格に対応する電子マネーなどの、その取引に関する取引関連データを取得するための取引関連データ取得手段と、
ユーザーがネットワークを介してショップとの間で取引を行うときのユーザーの行為状況に関するユーザー行為状況関連データを取得するためのユーザー行為状況関連データ取得手段と、
前記行為状況関連データ取得手段からのユーザー行為状況関連データを、前記取引関連データ取得手段からの取引関連データと対応付けて、「遠隔地のショップ、又は、このショップ又はそのユーザーのために運営されるセンター的な機関などの、ショップ側」に送信するためのユーザー行為状況関連データ送信手段と、
を備えたことを特徴とする場所又は行為状況を要素とする取引システム。
【請求項９】
ユーザーがネットワークを介して「遠隔地のショップ、又は、このショップ又はそのユーザーのために運営されるセンター的な機関などの、ショップ側」に商品又はサービスの注文を行うとき、その注文のための注文データを取得するための注文データ取得手段と、
前記注文を行うときのユーザーの現在位置データを求めるための現在位置特定手段と、
前記現在位置特定手段からの現在位置データを、前記注文データ取得手段からの注文データと対応付けて、前記「ショップ側」のコンピュータに送信するための現在位置データ送信手段と、
を備えたことを特徴とする場所又は行為状況を要素とする取引システム。
【請求項１０】
ユーザーがネットワークを介して「遠隔地のショップ、又は、このショップ又はそのユーザーのために運営されるセンター的な機関などの、ショップ側」に商品又はサービスの代金決済を行うとき、その代金決済のための代金決済データを取得するための代金決済データ取得手段と、
前記代金決済データを取得又は送信するときのユーザーの現在位置データを求めるための現在位置特定手段と、
前記現在位置特定手段からの現在位置データを、前記代金決済データ取得手段からの代金決済データと対応付けて、前記「ショップ側」のコンピュータに送信するための現在位置データ送信手段と、
を備えたことを特徴とする場所又は行為状況を要素とする取引システム。
【請求項１１】
ユーザーがネットワークを介して「遠隔地のショップ、又は、このショップ又はそのユーザーのために運営されるセンター的な機関などの、ショップ側」に商品又はサービスの注文を行うとき、その注文のための注文データを取得するための注文データ取得手段と、
前記注文を行うときのユーザーの行為状況に関するユーザー行為状況関連データを取得するためのユーザー行為状況関連データ取得手段と、
前記ユーザー行為状況関連データ取得手段からのユーザー行為状況関連データを、前記注文データ取得手段からの注文データと対応付けて、前記「ショップ側」のコンピュータに送信するためのユーザー行為状況関連データ送信手段と、
を備えたことを特徴とする場所又は行為状況を要素とする取引システム。
【請求項１２】
ユーザーがネットワークを介して「遠隔地のショップ、又は、このショップ又はそのユーザーのために運営されるセンター的な機関などの、ショップ側」に商品又はサービスの代金決済を行うとき、その代金決済のための代金決済関連データを取得するための代金決済関連データ取得手段と、
前記代金決済関連データを作成又は送信するときのユーザーの行為状況に関するユーザー行為状況関連データを取得するためのユーザー行為状況関連データ取得手段と、
前記ユーザー行為状況関連データ取得手段からのユーザー行為状況関連データを、前記代金決済関連データ取得手段からの代金決済関連データと対応付けて、前記「ショップ側」のコンピュータに送信するためのユーザー行為状況関連データ送信手段と、
を備えたことを特徴とする場所又は行為状況を要素とする取引システム。
【請求項１３】
ユーザーがネットワークを介して「遠隔地のショップ、並びに、このショップ又はそのユーザーのために運営されるセンターその他の機関を含むショップ側」に商品又はサービスの代金決済を行うとき、その代金決済のための電子マネーを発生又は読み出すための電子マネー発生手段と、
前記電子マネーを発生又は読み出すときのユーザーの行為状況に関するユーザー行為状況関連データを取得するためのユーザー行為状況関連データ取得手段と、
前記ユーザー行為状況関連データ取得手段からのユーザー行為状況関連データを、前記電子マネー発生手段からの電子マネーと対応付けて、前記「ショップ側」のコンピュータに送信するためのユーザー行為状況関連データ送信手段と、
を備えたことを特徴とする場所又は行為状況を要素とする取引システム。
【請求項１４】
商品又はサービスを注文するための注文データを「遠隔地のショップ、又は、このショップ又はそのユーザーのために運営されるセンター的な機関などの、ショップ側」に送信するための注文データ送信手段と、
この注文データと対応付けてユーザーの現在位置に関連する場所関連データ又はユーザーの現在の行為状況データを前記「ショップ側」に送信するための場所関連データ又は行為状況データ送信手段と、
「もしユーザーが場所関連データ又は行為状況データをショップ側に送信してくれれば、注文に対応する代金を所定金額又は所定割合だけ割り引きすること」をユーザーに提示する代金割引提示手段と、
を備えたことを特徴とする場所又は行為状況を要素とする取引システム。
【請求項１５】
商品又はサービスを注文するための注文データを「遠隔地のショップ、又は、このショップ又はそのユーザーのために運営されるセンター的な機関などの、ショップ側」に送信するための注文データ送信手段と、
この注文データと対応付けてユーザーの現在位置に関連する場所関連データ又はユーザーの現在の行為状況データを前記ショップ側に送信するための場所関連データ又は行為状況データ送信手段と、
前記場所関連データ又は行為状況データを受信したとき、前記注文に対応する代金を所定金額又は所定割合だけ割り引きして算出する割引代金算出手段と、
この割引された代金をユーザーに提示するための割引代金提示手段と、
を備えたことを特徴とする場所又は行為状況を要素とする取引システム。
【請求項１６】
商品又はサービスを注文する注文データを「遠隔地のショップ、又は、このショップ又はそのユーザーのために運営されるセンター的な機関などの、ショップ側」に送信するための注文データ送信手段と、
前記注文データを受信したとき、「もしユーザーから、ユーザーの現在位置に関連する場所関連データ又はユーザーの現在の行為状況データが送信されれば、そのことにより割引される代金」を算出するための割引代金算出手段と、
この割引された代金をユーザーに提示するための提示手段と、
この提示された割引代金の支払関連データと対応付けて前記の場所関連データ又は行為状況データを前記「ショップ側」に送信するための場所関連データ又は行為状況データ送信手段と、
を備えたことを特徴とする場所又は行為状況を要素とする取引システム。
【請求項１７】
請求項７において、
前記場所関連データ送信手段は、取引関連データが送信されるとき、自動的に、場所関連データを送信するものである、ことを特徴とする場所又は行為状況を要素とする取引システム。
【請求項１８】
請求項８において、前記ユーザー行為状況関連データ送信手段は、前記取引関連データが送信されるとき、自動的に、ユーザー行為状況関連データを送信するものである、ことを特徴とする場所又は行為状況を要素とする取引システム。
【請求項１９】
請求項９において、前記の現在位置データを送信する送信手段は、前記注文データが送信されるとき、自動的に、現在位置データを送信するものである、ことを特徴とする場所又は行為状況を要素とする取引システム。
【請求項２０】
請求項１０において、前記の現在位置データを送信する手段は、前記の代金決済データが送信されるとき、自動的に、現在位置データを送信するものである、ことを特徴とする場所又は行為状況を要素とする取引システム。